(57)【特許請求の範囲】
【請求項１】
幟旗における旗布を保持する為の旗竿であって、
中空円筒状に形成された長尺な外側部材と、
当該外側部材の内径よりも小さい外径を有し、該外側部材の中空部に内挿される長尺な内側部材と、
当該内側部材に外装されて、前記外側部材の中空部よりも拡径した大きさで形成された支持部材とからなり、
当該支持部材は、前記内側部材の長さ方向に移動可能であると共に、任意の箇所に固定可能であって、前記外側部材と内側部材とを相対的に回動自在に連結しており、
前記内側部材と外側部材とを高さ方向に連結してなり、当該内側部材と外側部材との内、上側に存在する部材は、１か所又は２か所以上の曲折部において曲折しており、
最も基端側に存在する第１曲折部と上側に存在する部材の先端側とを結んだ仮想線と、上側に存在する部材における第１曲折部までの軸線との内角は１００°以上である事を特徴とする、旗竿。
【請求項２】
前記内側部材と外側部材とを高さ方向に連結してなり、
当該内側部材と外側部材との内、上側に存在する部材は、１か所又は２か所以上の曲折部において曲折しており、
最も基端側に存在する第１曲折部と上側に存在する部材の先端側とを結んだ仮想線と、上側に存在する部材における第１曲折部までの軸線との内角が１６５°以下であり、
前記外側部材における内側部材の挿入開口には、リング部材を装着することにより、両部材の円滑な回動を実現している、請求項１に記載の旗竿。
【請求項３】
前記内側部材と外側部材とを高さ方向に連結してなり、
当該内側部材と外側部材との内、上側に存在する部材には、２か所に曲折部が形成されており、各曲折部は同じ方向に曲折しており、
最も基端側に存在する第１曲折部から、その先端側に存在する第２曲折部までの長さは、第２曲折部から当該上側に存在する部材の先端までの長さの５０％以上、１５０％以下であり、
第１曲折部の外角は１５°〜４５°で、第２曲折部の外角は１５°〜４５°に形成している、請求項１又は２に記載の旗竿。
【請求項４】
請求項１〜３の何れか一項に記載の旗竿と、
当該旗竿に取り付けられた旗布とからなる幟旗であって、
当該旗布の上端は、前記旗竿における曲折部に沿った形状に形成されている事を特徴とする幟旗。
【請求項５】
前記内側部材と外側部材との連結部分は、下側に存在する部材の下端側から、上側に存在する部材における最も基端側に存在する第１曲折部までの高さの２／３以下の位置に存在し、
前記旗布における幅方向の一端側の縁部と上端側には、前記旗竿を通すための筒状部が形成されており、
当該筒状部の下端には、広がって開口した状態を維持する補強部が形成されると共に、その長さ方向の途中部分には、開口部が存在しない、請求項４に記載の幟旗。
【発明の詳細な説明】
【技術分野】
【０００１】
本発明は、屋内や屋外に設置して、広告宣伝やその他の表示を行う為の幟旗用の旗竿と、この旗竿に旗布を取り付けた幟旗に関し、特に風などによる旗布の絡み付きや巻き上がりを阻止することのできる旗竿と、この旗竿を使用した幟旗に関する。
【背景技術】
【０００２】
従来から、百貨店、スーパーマーケット、各種商品の小売店、遊技施設、遊園施設、温泉旅館その他の店舗等においては、取り扱う商品やサービス等の種類や特長など、顧客にアピールしたい情報を表示する為に幟旗が使用されている。
【０００３】
かかる幟旗は、旗布を広げて、旗布に記載した情報を見やすく表示するが望ましい事から、旗布の上端部を広げた状態に保持する横杆を備えた旗竿が使用されている。そして、かかる幟旗を屋外で使用した場合には、風などによって旗布がなびいて、これが旗竿に絡み付くこともあった。そこで従前においては、このような旗布が旗竿に絡むのを阻止する為に、幾つかの技術が提案されている。
【０００４】
例えば、特許文献１（特開２０１１−５６２１６号公報）では、鯉のぼりが竿やロープ等に絡みつくのを防ぐために竿の一部分をくの字型に曲げた構造が提案されている。
【０００５】
また、特許文献２（特開２００５−１２２０２９号公報）では、旗が絡まらない旗竿を提供するべく、旗布の一部を保持して、旗布を掲揚する旗竿が、旗竿本体と上記旗竿本体に旗竿本体を中心軸として回転可能に外嵌され旗布の一辺の端部を保持するスリーブを備える事が提案されており、これにより、旗布を旗竿に安定して保持するとともに、旗布が風によって靡く方向に応じてスリーブが回転するので、旗布の旗竿への絡まりが防がれるものとなっている。
【０００６】
また特許文献３（実用新案登録第３０８７４４６号公報）では、手で持って振り回したり、風で旗部がたなびいても、旗部が旗竿に巻き付くことがなく、常に旗部が開いた状態としておくことができる旗具を提供するべく、旗竿が一端側に形成された所定長さの基部と、この基部から伸長し、前記旗部の一辺を固着する旗部取付け部とから構成され、前記旗部取付け部が、前記基部から伸長する固定支持部と、前記旗部の前記一辺を固定的に接続すると共に前記固定支持部に対して、前記旗部の前記一辺に沿う軸線を中心にして回転可能に支持された自由回転部とから構成されている旗具が提案されている。
【０００７】
そして幟旗は、その本来の目的を達成する為に、できるだけ目立つようにして、需要者等の注目を浴びるように構成するのが望ましい。そこで従前においても、注意を惹きやすいように構成したのぼり旗も幾つか提案されている。例えば、特許文献４（実用新案登録第３１３７９７１号公報）では、斬新な形状を成し、注意を引きやすいのぼり旗を提供するべく、旗本体はシート状であって、直線状の側縁部と、前記側縁部に連続する湾曲した上縁部とを有し、竿挿入部はシート状部材を２つに折って成り、前記旗本体の前記側縁部と前記上縁部とを挟み、各縁部に沿って縫い合わせられて細長い袋状に形成されており、上側端部が閉じ、下側端部に挿入口を有し、前記旗竿は直棒状の竿本体の先端に可撓性芯材を設けて成り、前記挿入口に挿入されて前記竿本体が前記側縁部に沿って配置され、前記可撓性芯材が前記上縁部に沿って湾曲して配置されるのぼり旗が提案されている。
【先行技術文献】
【特許文献】
【０００８】
【特許文献１】特開２０１１−５６２１６号公報
【特許文献２】特開２００５−１２２０２９号公報
【特許文献３】実用新案登録第３０８７４４６号公報
【特許文献４】実用新案登録第３１３７９７１号公報
【発明の概要】
【発明が解決しようとする課題】
【０００９】
上記の通り、従前においても風で靡いた際に旗布が旗竿に絡まないように工夫した幟旗は幾つか提案されている。しかしながら、これら先行技術は、旗布の下方側や上方側等、特定の部分における絡まりを阻止するように創作されたものであって、風によって複雑に靡く旗布の全体において、旗竿に対する絡まりを阻止するものは未だ提案されていないのが実情である。そこで本発明は、様々な方向から吹き込んでくる風になびいたとしても、旗布が絡み付きにくいようにした旗竿と此れを使用した幟旗を提供する事を第１の課題とする。
【００１０】
また、幟旗は設置する場所や旗布の大きさによって、全体の高さを変える事も行われていることから、旗竿は高さを調整できることが望ましい。そこで本発明は、旗竿の高さを調整自在としながらも、旗布が絡み付きにくいようにした旗竿と此れを使用した幟旗を提供する事を第２の課題とする。
【００１１】
更に、屋外などに設置した幟旗にあっては、季節や天候によっては強風や突風を受ける場合もあり、その結果、旗布は旗竿を捲り上がってしまうことがあった。そして、このように捲り上がった旗は、風が止んだ後においても自然に拡がることはなく、人手で広げなければならなかった。また、前記の通り旗竿に対する旗布の絡まり阻止する等の理由から、旗布を旗竿に対して固定すること無く、移動・回動自在に取り付けた場合には、旗竿から旗布が抜け出てしまうおそれもあった。
【００１２】
そこで本発明は、強風や突風を受けた場合であっても、旗布が捲り上げられたり、更には旗布が抜け出てしまうようなおそれを減じる事の出来る旗竿と此れを使用した幟旗を提供する事を第３の課題とする。
【００１３】
更に、幟旗は本質的に需要者などの注目を浴びる必要があることから、従前においては特許文献４の様に、旗布の上縁部が湾曲している幟旗も提案されている。しかしながら、かかる幟旗は、旗布の上縁部が旗竿の先端に設けた可撓性芯材の弾性力によって展張されていることから旗布に負荷がかかってしまい、耐久性が低下する事が考えられる。
【００１４】
そこで本発明は旗布に余分な負荷を作用させること無く、使用耐久性を向上させながらも、需要者等の注目を惹くような形状に形成した旗竿と此れを使用した幟旗を提供する事を第４の課題とする。更に本発明では、需要者等の注目を惹く形状でありながらも、加工コストや流通コストを削減できるようにした旗竿と此れを使用した幟旗を提供する事を第５の課題とする。
【課題を解決するための手段】
【００１５】
上記課題の少なくとも何れかを解決するべく、本発明者は旗布が旗竿に絡み付く原因を追究し、２つの部材同士を相対的に回動自在に連結した旗竿とし、さらに望ましくは旗竿の先端側形状を工夫する事で本発明を完成させたものである。
【００１６】
即ち、本発明にかかる旗竿は、幟旗における旗布を保持する為の旗竿であって、中空円筒状に形成された長尺な外側部材と、当該外側部材の内径よりも小さい外径を有し、該外側部材の中空部に内挿される長尺な内側部材と、当該内側部材に外装されて、前記外側部材の中空部よりも拡径した大きさで形成された支持部材とからなり、当該支持部材は、前記内側部材の長さ方向に移動可能であると共に、任意の箇所に固定可能であって、前記外側部材と内側部材とを相対的に回動自在に連結して形成されている。
【００１７】
上記本発明の旗竿によれば、内側部材は外側部材に内挿されて、両者は相対的に軸周りに回転自在である事から、取り付けられた旗布の動きに追従して回転する事ができ、よって旗布の絡み付きを阻止する事ができる。しかも内側部材と外側部材との連結部に存在する支持部材は、内側部材の長さ方向に移動可能であることから、外側部材に内挿される長さ（外側部材から出ている長さ）を調整する事ができ、よって旗竿自体の長さを自在に調整する事ができる。
【００１８】
上記外側部材と内側部材とは、旗布を保持できる強度を有する事が必要であり、多くの場合は金属や樹脂を用いて形成される。但し、強度を担保できる限りにおいて厚紙や木材等を用いて形成しても良い。また前記外側部材は前記内側部材を内挿する事から、少なくとも当該内側部材を内挿する側は中空円筒状に形成される事が必要である。一方で、外側部材において内側部材を内挿していない領域、及び内側部材は必ずしも中空円筒状又はパイプ状に形成する必要は無く、棒状に形成されていればよい。前記内側部材は前記外側部材の内部空間に内挿されることから、少なくとも両者の連結部分においては、当該内側部材の外径は、前記外側部材の内部空間の開口径よりも小さく形成される。そして内側部材と外側部材との連結部分の位置を保持する為に、内側部材に外装されると共に外側部材の中空部よりも拡径した大きさで形成された支持部材を使用する。かかる支持部材はリング状又は環状に形成することができ、これを内側部材の外周に設置することにより、内側部材における外側部材の内部空間内への挿入長さを特定する事ができる。かかる支持部材は、金属、樹脂、ゴム又は木材などを使用して形成する事ができるが、内側部材と外側部材との相対的な回動を円滑に行う為に、摩擦抵抗の低い樹脂などを用いて形成し、両部材同士における相対的な回動が円滑になるように機能させるのが望ましい。
【００１９】
上記外側部材と内側部材は、幟旗用の旗竿として使用する際に、どちらが下方に存在していても良い。即ち、外側部材の上方に内側部材を存在させても、内側部材の上方に外側部材を存在させても良い。いずれの場合であっても、前記支持部材の設置位置を調整することにより、旗竿全体の長さを調整する事ができる。
【００２０】
そして上記本発明にかかる旗竿においては、前記内側部材と外側部材とを高さ方向に連結し、その上側に存在する部材（当該内側部材と外側部材との内、上側に存在する部材）は、１か所又は２か所以上の曲折部において曲折させて形成することができる。その際、最も基端側（内側部材と外側部材の連結部分側）に存在する第１曲折部と上側に存在する部材の先端側とを結んだ仮想線と、上側に存在する部材における第１曲折部までの軸線との内角が１６５°以下であることが望ましい。即ち、旗竿において高さ方向に延伸する縦杆部分の上端と、当該縦杆部分の上端から横方向に延伸する横杆部分の先端との内角が１６５°以下であることが望ましい。当該内角が１６５°を超えると、旗布が旗竿の先端部分に絡み付きやすくなってしまう為である。この原因としては、旗竿側（即ち縦杆部分側）から風が通り抜ける際のタイミングが関与しているものと考えられる。また当該内角が１６５°を超えると、設置できる旗布の幅が狭くなってしまい、視認性が低下する事が考えられるためである。
【００２１】
また本発明の旗竿において、高さ方向に延伸する縦杆部分の上端と、当該縦杆部分の上端から横方向に延伸する横杆部分の先端との内角は１００°以上、特に１１０°以上に形成するのが望ましい。このような内角に形成した場合には、横杆部分が支持する旗布の重さは、縦杆部分の長さ方向にも作用して、その質量が分散されることから、前記内側部材と外側部材との連結部分における回動を円滑に行う事ができる為である。
【００２２】
上記の様に高さ方向に連結した内側部材と外側部材の内、上方に存在する部材に形成する曲折部は、２か所以上に設けることが望ましい。当該曲折部を２か所以上とする事により、旗竿において横向きに延伸する横杆部分は曲折した状態となり、当該旗竿を用いて形成した幟旗においては、強風や突風に晒されても旗布が旗竿からすり抜けてしまう事を無くすことができる為である。特に、上側に存在することになる内側部材又は外側部材を曲折させて形成することにより製造コストを削減する事ができる。またパイプ状部材を「く」の字状の連結具でつなぎ合わせて曲折部を形成した場合には、持ち運びに際してコンパクトにする事ができ、輸送コストなどを削減する事ができる。
【００２３】
また、上記の様に曲折部を２か所以上に設ける場合、各曲折部は異なる方向に曲折させることもでき、Λ形状、Ｖ溝形、若しくは鋸刃状に形成することもできる。但し、各曲折部を同じ方向に曲折させることが望ましい。即ち、それぞれの曲折部における内角が１８０°以下であることが望ましい。旗竿に対する旗布の取付を容易にし、且つ旗竿に対する旗布の絡み付きを阻止する為である。
【００２４】
また、横杆部分を略「く」の字状に曲折させ、旗竿全体として２か所の曲折部を形成した場合、縦杆部分の上端に存在する第１曲折部の外角（縦杆部分と第１曲折部から第２曲折部までとが成す外角）は、１５°〜４５°、特に望ましくは２５°〜３５°に形成し、第２曲折部の外角（第１曲折部から第２曲折部までと、第２部分から先端までとが成す外角）は、１５°〜４５°、特に望ましくは２５°〜３５°に形成するのが望ましい。そして第２曲折部の外角は、第１曲折部の外角と同じか、又は当該第１曲折部の外角よりも大きくなるように形成するのが望ましい。このように形成することにより、旗布が旗竿の先端部分に絡み付く事態を減じる事ができる。これは旗竿側から吹いてくる風の巻き込み具合に影響するものと考えられることから、仮に各曲折部の外角を上記範囲外にしたり、或いは前記第２曲折部の外角βを、第１曲折部の外角αよりも小さく形成した場合には、旗竿先端部分における絡み付きが生じやすいものと考えられる。
【００２５】
また、最も基端側に存在する第１曲折部から、その先端側に存在する第２曲折部までの長さは、第２曲折部から当該上側に存在する部材の先端までの長さの５０％以上、１５０％以下であることが望ましい。旗布が風に煽られて抜け出てしまう事態を減じる為である。特に、最初の曲折部よりも先端側に広がる旗布の面積を広くし、かつ意匠効果を高めるためには、第１曲折部から第２曲折部までの長さと、第２曲折部から当該上側に存在する部材の先端までの長さを同じ長さにして、第２曲折部を頂角とする二等辺三角形を形成するようにする構成するのが望ましい。
【００２６】
上記の曲折部は、外側部材又は内側部材の何れか（連結した時に上方に存在する側）を直接曲折させる他、「く」の字状に曲折したエルボ部材を使用し、これにパイプ状又は棒状の部材を連結して、全体として曲折させた部材を形成する事もできる。また、前記曲折部は、角を付けて折曲げた形状に限らず、丸みを帯びて曲げた湾曲形状に形成する事もできる。ただし、前記曲折部を湾曲形状に形成した場合には、第１曲折部よりも先端側（即ち横杆部分）には、直線状に延伸する部分を有することが望ましい。直線状に延伸する部分を形成することにより、旗布は当該旗竿を移動する事が可能となり、その結果、強い風によって受ける応力を受け流して、旗竿に対する絡み付きを阻止する事ができるためである。
【００２７】
更に、上記本発明にかかる旗竿において、前記内側部材と外側部材とを高さ方向に連結してなり、当該内側部材と外側部材との内、上側に存在する部材は、１か所又は２か所以上において曲折しており、前記内側部材と外側部材との連結部分は、下側に存在する部材の下端側から、上側に存在する部材における最も基端側に存在する第１曲折部までの高さの２／３以下の位置に設けることが望ましい。内側部材と外側部材との連結部分を低い位置に設ける事によって、当該旗竿に設置した旗布は、その殆どの部分が風向きに追従する事ができる為に、一部だけが折り返されるなどによって旗竿に絡み付く事態を減じる事ができる。また、当該連結部分は、当該旗竿に取付ける旗布の下端から前記第１曲折部までの長さの１／２以下の高さに設けることが望ましい。旗布全体が風の向きに追従する事ができるようにするためである。
【００２８】
そして本発明では、上記課題の何れかを解決する為に、上記旗竿に旗布を取り付けた幟を提供する。即ち、上記本発明にかかる旗竿と、当該旗竿に取り付けられた旗布とからなる幟旗であって、当該旗布の上端は、前記旗竿における曲折部に沿った形状に形成されている幟旗を提供する。
【００２９】
かかる幟旗において、旗布は乳輪を介して旗竿に取り付ける他、旗竿を通すように筒状に縫合し、この筒状部分に旗竿を通して取り付ける事もできる。即ち、旗竿に対する旗布の取付構造は従前の方法によって行う事ができる。但し、旗竿を通すために縁部分を筒状に縫合した旗竿であれば、風に煽られても旗布が旗竿の先端側に捲れ上げられる事態を減じる事ができるため望ましい。更に、旗竿を通す筒状の縫合部分は、その下端側を折り返して縫合するか又は開口部に沿って紐などのリング体を一体化した補強部を形成することが望ましい。かかる補強部を形成することにより、この旗竿を通す筒状の縫合部分の開口する形状を維持する事ができ、これによって旗布の下端側が捲り上げられたとしても、円滑に下降して元の状態に戻る事ができる。
【００３０】
そしてこの旗布は、その高さ方向に沿う一辺が前記旗竿の形状と同じように曲折させて形成されることになる。その際、この高さ方向に沿う一辺を、旗竿を通す為の筒状に縫合して形成した場合には、当該筒状の部分は、旗布の縁部分を折り返して筒状に縫合すると共に、その長さ方向の途中部分、特に曲折部分には、開口部が存在しない様に折り返して縫合することが望ましい。曲折部分に切れ目を形成して折り返した場合には、当該切れ目の部分に開口部が存在してしまい、この開口部から風が侵入する事で、旗布が持ち上げられるなど、巻き上げられる事が考えられるためである。
【００３１】
また、本発明における旗竿は、内側部材と外側部材とを連結して形成されており、この連結部分には、支持部材が設けられる。その際、旗布の下端は、この支持部材の上方にあっても、下方にあっても良いが、望ましくは当該旗布の下端は、前記旗竿における支持部材よりも下方に存在させる。この様に形成すれば、強風などに晒されても、旗布の下端側は当該支持部材によって抑えられて、下端側が捲し上げられるといった事態を阻止する事ができるためである。
【００３２】
上記本発明にかかる旗竿は、内側部材と外側部材とで構成し、両者の連結部分に支持部材を設けると共に、内側部材と外側部材とが相対的に回動自在に構成されていればよく、その他の構成、例えば旗竿の全体の高さや太さ、或いは材質などは任意に設定する事ができる。また、連結した内側部材と外側部材の内、上方に存在する部材には、１又は２以上の曲折部を形成する事ができ、当該曲折部の数や角度、及び曲折部からの長さについては、任意に設定する事ができる。更に、幟旗を構成する旗布は、布帛である他、ビニールシート、不織布や紙などであっても良く、その上端の輪郭は、旗竿において横方向に延伸する横杆部分に沿う形状に形成することが望ましい。
【発明の効果】
【００３３】
上記本発明にかかる旗竿によれば、中空円筒状に形成された長尺な外側部材と、当該外側部材の内径よりも小さい外径を有し、該外側部材の中空部に内挿される長尺な内側部材と、当該内側部材に外装されて、前記外側部材の中空部よりも拡径した大きさで形成された支持部材とによって旗竿を構成しており、当該外側部材と内側部材とを相対的に回動自在に連結していることから、当該旗竿を用いて形成した幟旗は、風の向きに追従して回転する事ができる。その結果、様々な方向から吹き込んでくる風に旗布が靡いたとしても、旗布が旗竿に絡み付く事態を大幅に減じる事ができる。
【００３４】
更に前記支持部材を、前記内側部材の長さ方向に移動可能に設けている事から、内側部材と外側部材とを連結して構成する旗竿全体の長さを自在に調整する事ができる。よって使用場所や旗布に記載する情報の量に応じて、任意に高さを調整する事の出来る旗竿とすることができる。
【００３５】
更に本発明にかかる旗竿が、上記の様に高さ方向に連結する内側部材と外側部材との内、上側に存在する部材を、１か所又は２か所以上の曲折部において曲折した場合には、旗布において、はためく自由縁側の上端部における絡み付きを阻止することができる。特に、旗竿において高さ方向に延伸する縦杆部分から横方向に曲折して延伸する横杆部分にも曲折部を形成することにより、当該横杆部分の先端側における旗布の絡み付きを阻止する事ができる。よって、このように横杆部分を曲折させた旗竿にあっては、様々な方向から吹き込んでくる風になびいたとしても、旗布が絡み付きにくいようにした旗竿とする事ができる。
【００３６】
特に、最も下側に存在する第１曲折部と上側に存在する部材の先端側とを結んだ仮想線と、上側に存在する部材における第１曲折部までの軸線との内角が１６５°以下とした場合には、当該旗布の上端側は、全体として上方に向かって傾斜しながら延伸する事ができ、その結果、当該旗布の自由縁側の上端部における絡み付きを、より確実に阻止することができる。
【００３７】
更に、このように旗竿において、横向きに延伸する横杆部分を曲折させることにより、強風に煽られた旗布が旗竿から抜け出てしまうといった課題も解決する事ができる。更に縦杆部分には、外側部材と内側部材と連結する支持部材を設けていることから、風によって旗布が捲り上げられたり、更には旗布が旗竿から抜け出てしまうような虞を減じる事の出来る旗竿を提供する事ができる。
【００３８】
また、この外側部材と内側部材と連結する支持部材は、内側部材の軸方向に移動可能である事から、旗竿の高さを調整自在としながらも、旗布が絡み付きにくいようにした旗竿と此れを使用した幟旗を提供する事ができる。
【００３９】
そして上記本発明にかかる旗竿において、横杆部分を曲折させた場合には、旗布も上縁側が、当該曲折部に沿うように湾曲することになる。その際、旗竿自体が曲折している事から、旗布には特段の負荷が作用する事は無い為、旗布の使用耐久性を向上させることができる。また、当該旗布は、需要者等に対して、通常とは異なる印象を与えることができ、需要者等の注目を惹くような形状に形成した幟旗とすることができる。
【００４０】
よって、本発明にかかる旗竿に旗布を取り付けた幟旗とする事により、旗竿の先端側における旗布の絡み付きを阻止するばかりでなく、また風に煽られた旗布が旗竿の上方に捲り上げられたり、更には旗竿から抜け出てしまうといった問題を解決する事ができる。そして、旗竿の上方に曲折部が存在する事から、従前における幟旗とは異なる意匠効果を発揮する事ができ、需要者等における注目を集める事ができる。
【図面の簡単な説明】
【００４１】
【図１】本実施の形態にかかる幟旗を示す（Ａ）分解正面図、（Ｂ）内部透視正面図
【図２】支持部材を示す（Ａ）分解断面図、（Ｂ）断面図である。
【図３】第１の実施の形態にかかる旗布を示す（Ａ）要部展開図、（Ｂ）要部拡大図
【図４】第２の実施の形態にかかる旗布を示す（Ａ）要部展開図、（Ｂ）要部拡大図
【図５】他の実施の形態にかかる幟旗を示す内部透視正面図
【図６】更に他の実施の形態にかかる幟旗を示す内部透視正面図
【図７】更に他の実施の形態にかかる旗竿を示す内部透視正面図
【発明を実施するための形態】
【００４２】
以下では、図面を参照しながら幾つかの実施の形態にかかる旗竿10と幟旗50を具体的に説明する。特に以下の実施の形態では、作用又は効果が共通する構成要素については同じ符号を付して詳細な説明は省略する。
【００４３】
図１は本実施の形態にかかる幟旗50を示す（Ａ）分解正面図、（Ｂ）内部透視正面図である。この実施の形態にかかる旗竿10は、下端が基台60に支持されている旗竿10と、この旗竿10に取付けられる旗布20によって構成されている。旗竿10は、基台60に支持されている外側部材11と、この外側部材11の上端開口に内挿される内側部材12とで構成されており、外側部材11と内側部材12との間には、外側部材11に挿入する内側部材12の長さを調整する為の支持部材30が設けられている。特にこの図１において、外側部材11の上方に存在する内側部材12は、外側部材11から真っ直ぐに立ち上がる立ち上げ部分を備えており、この内側部材12の立ち上げ部分と外側部材11とで、旗竿10における縦杆部分16を構成している。また、内側部材12の立ち上げ部分の上端から横方向に曲折しており、当該最初の曲折部から横杆部分17を構成している。
【００４４】
本実施の形態において、縦杆部分16の上端における曲折部を第１曲折部13としており、当該第１曲折部13よりも先端側には、この第１曲折部13と同じ向きに折り曲げた第２曲折部14を形成している。その結果、この実施の形態にかかる旗竿10は、第１曲折部13および第２曲折部14の二カ所で折れ曲がり、縦杆部分16から大凡「く」の字状の横杆部分17が延出している形状となっている。
【００４５】
この２つの曲折部は、上側に存在する内側部材12を直接折り曲げて構成する他、当該折り曲げ部分に「く」の字状に折り曲げたエルボ部材（図示せず）を接続具として存在させ、当該エルボ部材に対してパイプ状部材を連結することにより形成する事もできる。金属製又は樹脂製の棒状または管状部材を折り曲げて本実施の形態にかかる旗竿10を形成した場合には、当該旗竿10に対する旗布20の装着を円滑に行う事ができ、また製造コストを削減する事ができる。一方で前記エルボ部材を用いて旗竿10を形成した場合には、運搬などの移動に際してコンパクトにすることができる。
【００４６】
この実施の形態において、外側部材11と内側部材12とを連結する連結部分（支持部材30が存在する部分）は、外側部材11の長さH1と、内側部材12の第１曲折部13までの長さのH2の合計の１／２以下となる高さに形成するのが望ましい。かかる高さに連結部分を形成することにより、当該連結部分よりも上方に存在する内側部材12が円滑に回動する事ができ、取り付けた旗布20の絡み付きを阻止する事ができる。
【００４７】
また、この実施の形態において、第１曲折部13から第２曲折部14までの長さL1と、第二曲折部から先端までの長さL2とは同じ長さに形成している。このように形成することにより、第２曲折部14を頂角とする二等辺三角形のような輪郭形状となり、意匠効果を高め、また設置する旗布20の幅を広くする事ができる。
【００４８】
更に、本実施の形態において、第１曲折部13の外角α（縦杆部分16と第１曲折部13から第２曲折部14までとが成す外角）は３０°に形成し、第２曲折部14の外角β（第１曲折部13から第２曲折部14までと、第２部分から先端までとが成す外角）も３０°に形成している。このように第１曲折部13の外角αと第２曲折部14の外角βとの合計を９０°以下にすることにより、旗布20が旗竿10の先端部分に絡み付く事態を減じる事ができ、また第１曲折部13と第２曲折部14との角度のバランスが保たれて、意匠効果も優れたものとなる。
【００４９】
上記の外角で第１曲折部13及び第２曲折部14を形成している事から、縦杆部分16と、第一曲折部と横杆部分17の先端部とを結んだ線との内角γは１２０°となっている。このように当該内角γが１２０°であっても、横杆部分17に曲折部を設けていることから、幟旗50の上端部分は膨らんだ印象となり、需要者等に注目されやすい形状とする事ができる。
【００５０】
上記旗竿10に対しては、旗布20が取り付けられることになるが、当該旗布20は乳（チチ）と呼ばれる布製又は樹脂製の輪によって竿に固定する乳付旗であっても、旗竿10への接合部分を袋縫いにして竿に直接縫い付けることによって堅牢性を増した縫含旗であっても良い。但し、本実施の形態に示す様に、縫含旗を使用する事により、風などによる旗布20の捲れ上がりを大幅に阻止する事ができる。よって本実施の形態で使用している旗布20には、当該旗竿10を挿入する筒状部21を形成している。かかる筒状部21は旗布20の縁部を折り返して袋縫いに縫合する事により形成している。当然のことながら、当該筒状部21は、旗竿10を挿入可能な大きさであって、且つ前記２つの曲折部により湾曲した形状に沿うような形状に形成されている。
【００５１】
また本実施の形態にかかる幟旗50で使用している旗布20は、その下縁部分に紐を縫合するか、折り返すなどにより補強した補強部22を形成している。特に当該補強部22は前記筒状部21の下端にも形成している事から、この筒状部21は広がって開口している状態を維持する事ができる。その結果、仮に風などよって旗布20が捲れ挙げられたとしても、当該筒状部21の開口は開いた状態に維持されている事から、旗竿10に引っ掛かることなく円滑に下降する事ができ、これにより捲れ上がった旗も迅速に復元する事ができる。
【００５２】
図２は外側部材11と内側部材12とを連結する支持部材30の実施態様を示す（Ａ）分解断面図、（Ｂ）断面図である。この実施の形態では、旗竿10の下側に外側部材11を設け、上側に内側部材12を設けた例を示しているが、これを逆にして旗竿10の下側に内側部材12を設け、上側に外側部材11を設けても良い。本実施の形態において、外側部材11における内側部材12の挿入開口には、両部材の円滑な回動を実現する為に、摩擦抵抗の低い樹脂や金属などで製造したリング部材35を装着している。また内側部材12には、任意の位置に固定可能な支持部材30を設けている。本実施の形態にかかる支持部材30は、断面楔状に形成した第一リング体31を、当該第一リング体31を締結するテーパー溝を備えた第二リング体32で緊結することにより、内側部材12の外周に固定できるように構成している。したがって、この支持部材30の設置位置を調整することにより、旗竿10全体の高さを任意に調整する事ができる。
【００５３】
また、本実施の形態において、外側部材11の上端開口に設けられたリング部材35と当接する第一リング体31は、当該リング部材35の上端側を包囲する袴状部分33を備えて構成されている。かかる袴状部分33を形成することにより、当該リング部材35と支持部材30との間から雨水が侵入する事が無くなり、外側部材11の内部空間における錆の発生の問題を減じる事ができる。
【００５４】
そして内側部材12と外側部材11とは、摩擦抵抗の少ない樹脂又は金属によって形成したリング部材35と支持部材30との当接によって連結されている事から、両者の相対的な回動は円滑に行う事ができる。特に本実施の形態では、外側部材11が基台60に固定されている事から、内側部材12はその軸周りに回動自在となっている。なお、当該内側部材12は５ｃｍ以上、望ましくは１０ｃｍ以上の長さが、外側部材11内に挿入されていることが望ましい。強風に煽られた場合であっても、内側部材12が抜け出るおそれを無くすためである。
【００５５】
次に図３及び図４を参照しながら、本実施の形態にかかる旗竿10に装着可能な旗布20の実施形態を具体的に説明する。図３は第１の実施の形態にかかる旗布20を示す（Ａ）要部展開図、（Ｂ）要部拡大図であり、図４は第２の実施の形態にかかる旗布20を示す（Ａ）要部展開図、（Ｂ）要部拡大図である。
【００５６】
図３に示す旗布20は前記した旗竿10の曲折部に沿うように折り曲げて、幅方向の一端側の縁部と上端側には、前記旗竿10を通すための筒状部21を形成している。特に、この実施の形態にかかる旗布20は、旗竿10における曲折部に相当する部位24も切れ目を形成すること無く、これを「Ω」字状に折り畳んで縫合している。その結果、当該筒状部21は、その延伸方向にわたって（特に曲折部に）開口部が存在しないように形成する事ができる。このように曲折部に相当する部位などに開口部を形成しないことから、開口部からの風の侵入の可能性を無くし、その結果、旗布20が巻き上げられる事態を大幅に改善する事ができる。
【００５７】
また、この図３に示す実施の形態では、前記筒状部21が形成されている縁部の幅方向に対向する縁部（即ち、風で靡く側の縁部）は、前記横杆部材よりも先まで出っ張らせた膨出部23を形成している。かかる膨出部23を形成することにより、旗布20の先端側に作用する風の力が大きくなり、前記連結部分（支持部材30が存在する部分）における軸周りの回動を円滑に行う事ができる。その結果、当該旗布20が旗竿10に絡み付く事態を大幅に減じる事ができる。また、この実施の形態にかかる旗布20は、旗竿10の先端側に相当する部分を斜めに切除していることから、旗竿10の竿先における旗布20の絡み付きを阻止する事ができる。
【００５８】
図４に示す旗布20は、上記図３に示した旗布20とは異なり、旗竿10における曲折部に相当する位置にV字状の切れ目25を設けてから折り曲げて縫合している。その結果、当該V字状の切れ目25から筒状部21内に風が入り込むようになっている。このように形成した場合には、曲折部における旗布20もスッキリする事から意匠効果を高める事ができる。特に、強風に晒される事の無い室内などにおいて使用する場合には好的なものとなる。
【００５９】
またこの図４に示す実施形態の旗布20は、旗竿10の先端に相当する部位を折り曲げる事により、三角形に突出した部分26を形成している。かかる三角形の突出部26を形成した場合には、当該部位26だけが、他の旗布20部分よりも風になびくことから、より一層、需要者などの注目を集める事の出来る幟旗50とする事ができる。
【００６０】
そして図５及び６を参照しながら、他の実施の形態にかかる幟旗50の実施形態を説明する。図５は他の実施の形態にかかる幟旗50を示す内部透視正面図であり、図６は更に他の実施の形態にかかる幟旗50を示す内部透視正面図である。
【００６１】
図５に示した実施の形態の幟旗50において、旗竿10は、縦杆部分16から横向きに延伸する横杆部分17を「Ｖ」字状に曲折した形状に形成している。即ち、当該旗竿10においては、第１曲折部13と第２曲折部14とを逆向きに曲折させた例を示している。本実施の形態では第１曲折部13を内角が９０°以下となるように折り曲げ、第２曲折部14は内角を１８０°以上となるように折り曲げている。このように形成した幟旗50においては、第２曲折部14よりも先端側は上向きに傾斜しており、需要者の注目を浴びやすい部分となる。よって、当該幟旗50で伝えたい情報の重要度に応じて記載領域を変更できるようにした幟旗50が実現する。
【００６２】
図６は３か所で折り曲げた旗竿10を使用した幟旗50の実施形態を示している。この実施の形態では縦杆部材の上部に第１曲折部13を設け、その先端側に、第２曲折部14、第３曲折部15を形成している。このように複数の曲折部を形成した幟旗50にあっては、その上端側における輪郭を曲線に近い形状にする事ができる。但し、それぞれの曲折部間には直線状に延伸する部分を形成している事から、旗布20が先端側に移動してしまう事態を抑える事ができ、強風に煽られても旗布20が先端側に移動しにくい幟旗50が実現する。この実施の形態にかかる幟旗50においても、曲折部間の距離は任意に調整する事ができ、また各曲折部における曲げ角度や曲げる向きを自在に調整する事ができる。
【００６３】
そして図７は、前記図１に示した実施の形態にかかる幟旗50に関連し、特に旗布20の裾部を旗竿10側の下端から上向きに切欠いた旗布20を使用した実施の形態の幟旗50を示している。このように、旗布20の裾部において、旗竿10から離れた側の縁部側の下方を切除した旗竿10においては、風に煽られても旗竿10に絡み付きにくい幟旗50が実現する。
【産業上の利用可能性】
【００６４】
上記本発明にかかる旗竿は、屋内外に設置可能な幟旗の旗竿として使用する事ができる。更に当該旗竿は、幟旗に限らず、使用者が把持して使用する手持ち旗の旗竿や、道路橋式を掲揚する為の旗竿としても使用する事ができる。
【符号の説明】
【００６５】
10    旗竿
11    外側部材
12    内側部材
13    第１曲折部
14    第２曲折部
15    第３曲折部
16    縦杆部分
17    横杆部分
20    旗布
21    筒状部
22    補強部
23    膨出部
30    支持部材
31    第一リング体
32    第二リング体
33    袴状部分
35    リング部材
50    幟旗
60    基台
【図１】
0006773407.tif 000002
【図２】
0006773407.tif 000003
【図３】
0006773407.tif 000004
【図４】
0006773407.tif 000005
【図５】
0006773407.tif 000006
【図６】
0006773407.tif 000007
【図７】
0006773407.tif 000008